(57)【要約】【課題】  従来のスライドショウ機能は、１つのフォルダ内の画像を順次表示するのみかあるいは、またそれに合わて音楽データを再生する処理となっており、類似画像が次々と表示されるような場合は、閲覧者は画像の区別がつきにくく、撮影者は楽しめても第３者が楽しめる工夫がなされていない。【解決手段】  本発明では携帯端末のスライド表示機能で表示する画像データの直前に対応する文字列データを挿入する。画像データの直前に当該データのキャプションとなる説明文や、タイトル、撮影日時などを表示することにより、第３者にとってもわかりやすく、またスライド表示させて場合もストーリー性を持たせることが可能となる。また、文字列データの表示時間も適宜設定可能とし、視覚性を向上させ、第３者にとっても娯楽性の高いスライド表示機能を提供できる。【選択図】    図６
2005244407.tif 000002
【特許請求の範囲】
【請求項１】
表示部と、
複数の画像データおよび文字列データを記憶する記憶手段と、
前記画像データおよび前記文字列データを登録するスライド編集手段と、
前記スライド編集手段によって登録された前記画像データに基づく画像および前記文字列データに基づく文字を所定の時間毎に前記表示部に表示させるスライド処理手段とを具備したことを特徴とする携帯端末。
【請求項２】
前記スライド編集手段は、前記画像データと前記文字列データを個別に対応付けて登録することを特徴とする請求項１に記載の携帯端末。
【請求項３】
前記スライド編集手段は、前記画像データと前記文字列データとの対応付けを一括して行うことを特徴とする請求項２に記載の携帯端末。
【請求項４】
前記スライド処理手段は、前記画像データに基づく画像を前記表示部に表示させる前に、当該画像データに対応付けて登録された前記文字列データに基づく文字を前記表示部に表示させることを特徴とする請求項２に記載の携帯端末。
【請求項５】
前記スライド処理手段は、前記文字列データに基づく文字を前記表示部に表示している間に、該文字列データに対応付けられた前記画像データに対する展開処理を行うことを特徴とする請求項４に記載の携帯端末。
【請求項６】
前記スライド処理手段は、前記文字列データに基づく文字を前記表示部に表示させたまま、当該文字列データに対応づけられた前記画像データに基づく画像を前記表示部に表示させることを特徴とする請求項４に記載の携帯端末。
【請求項７】
前記スライド処理手段は、前記画像データに基づく画像と前記文字列データに基づく文字とを切り換えて表示させることを特徴とする請求項１に記載の携帯端末。
【請求項８】
前記スライド編集手段は、前記文字列データの文字数に応じて前記表示部への表示時間を設定することを特徴とする請求項１に記載の携帯端末。
【請求項９】
前記スライド編集手段は、前記画像データおよび前記文字列データに対してそれぞれ個別に前記表示部への表示時間を設定することを特徴とする請求項１に記載の携帯端末。
【請求項１０】
前記スライド編集手段は、前記画像データおよび前記文字列データに対してそれぞれ一括して前記表示部への表示時間を設定することを特徴とする請求項１に記載の携帯端末。
【請求項１１】
表示部と、記憶部と、制御部とを備えた携帯端末に、
前記記憶部に記憶された画像データと文字列データとを対応づけて登録するステップと、
前記画像データに基づく画像を所定の時間毎に前記表示部に表示させるステップと、
前記画像データに基づく画像を前記表示部に表示させる前に、当該画像データに対応付けられた文字列データに基づく文字を前記表示部に表示させるステップとを実行させることを特徴とするプログラム。
【請求項１２】
表示部と、記憶部と、制御部とを備えた携帯端末に、
前記記憶部に記憶された画像データおよび文字列データを任意の順序で登録するステップと、
前記画像データに基づく画像および前記文字列データに基づく文字を、前記登録された順序で所定の時間毎に前記表示部に表示させるステップとを実行させることを特徴とするプログラム。
【発明の詳細な説明】
【技術分野】
【０００１】
本発明は、携帯端末およびプログラムに係り、特に、自動で順次複数の画像の閲覧ができるスライド表示機能を有する携帯端末および携帯端末にスライド表示機能を実現させるためのプログラムに関する。
【背景技術】
【０００２】
近年の画像データが表示可能な携帯端末は、複数の画像データの判別や、閲覧を容易にするための工夫がなされている。
【０００３】
例えば、電子スチルカメラにおいては、撮影した画像データに対して、撮影状況や解説を音声データで保存したり、撮影日時等の文字データを関連づけて保存し、１つの画像データの再生と共に保存した音声データまたは文字データを再生する機能を有するものがある（例えば特許文献１参照）。
【０００４】
また、画像データはその量が多くなるため、上記のごとく画像データを一つづつ再生するのではなく、一連の画像データに基づく画像を自動で連続表示させたい場合もある。
【０００５】
例えば、カメラ機能付きの携帯電話機などにおいては、撮影した複数の画像をフォルダ内に格納し、そのフォルダを指定することによって格納された画像データに基づく画像をスライド式に順次自動で切り替え表示する、いわゆるスライド表示機能を有するものがある。
【特許文献１】特開平９−９７４９０号公報
【発明の開示】
【発明が解決しようとする課題】
【０００６】
従来の画像のスライド表示機能は、所定のソート順でフォルダに格納されたデータに基づく画像をその格納順に自動で切り換え表示している。また、スライド表示機能の娯楽性をより高めるために、画像データに基づく画像の表示と共に音楽データ等を再生することが可能なものもある。
【０００７】
このように、スライド表示機能は複数の画像を概略的に把握する機能として効果的であるが、一方で複数の画像を順次切り換えて自動表示するため、例えば風景画像など類似した画像や、一見してわかりづらい画像等を連続して表示する場合、内容を理解できる撮影者および被写体は楽しめるが、内容を予め把握していない第三者にとって楽しめる工夫はあまりなされていない。スライド表示機能は、第三者に自分の保持する複数の画像を閲覧させることも特徴の１つとなっており、第三者にとっても娯楽性の高いスライド表示機能が望まれている。
【０００８】
また、データ量が増加すると、撮影者（ユーザ自身）であってもどのような状況で撮影した画像であったか等の判別がしづらくなる問題もあった。
【課題を解決するための手段】
【０００９】
本発明は上述した諸々の事情に鑑み成されたものであり、第１に、表示部と、複数の画像データおよび文字列データを記憶する記憶手段と、前記画像データおよび前記文字列データを登録するスライド編集手段と、前記スライド編集手段によって登録された前記画像データに基づく画像および前記文字列データに基づく文字を所定の時間毎に前記表示部に表示させるスライド処理手段とを具備することにより解決するものである。
【００１０】
また、前記スライド編集手段は、前記画像データと前記文字列データを個別に対応付けて登録することを特徴とするものである。
【００１１】
また、前記スライド編集手段は、前記画像データと前記文字列データとの対応付けを一括して行うことを特徴とするものである。
【００１２】
また、前記スライド処理手段は、前記画像データに基づく画像を前記表示部に表示させる前に、当該画像データに対応づけて登録された前記文字列データに基づく文字を前記表示部に表示させることを特徴とするものである。
【００１３】
また、前記スライド処理手段は、前記文字列データに基づく文字を前記表示部に表示している間に、該文字列データに対応付けられた前記画像データに対する展開処理を行うことを特徴とするものである。
【００１４】
また、前記スライド処理手段は、前記文字列データに基づく文字を前記表示部に表示させたまま、当該文字列データに対応付けられた前記画像データに基づく画像を前記表示部に表示させることを特徴とするものである。
【００１５】
また、前記スライド処理手段は、前記画像データに基づく画像と前記文字列データに基づく文字とを切り換えて表示させることを特徴とするものである。
【００１６】
また、前記スライド編集手段は、前記文字列データの文字数に応じて前記表示部への表示時間を設定することを特徴とするものである。
【００１７】
また、前記スライド編集手段は、前記画像データおよび前記文字列データに対してそれぞれ個別に前記表示部への表示時間を設定することを特徴とするものである。
【００１８】
また、前記スライド編集手段は、前記画像データおよび前記文字列データに対してそれぞれ一括して前記表示部への表示時間を設定することを特徴とするものである。
【００１９】
また、表示部と、記憶部と、制御部とを備えた携帯端末に、前記記憶部に記憶された画像データと文字列データとを対応づけて登録するステップと、前記画像データに基づく画像を所定の時間毎に前記表示部に表示させるステップと、前記画像データに基づく画像を前記表示部に表示させる前に、当該画像データに対応付けられた文字列データに基づく文字を前記表示部に表示させるステップとを実行させることにより解決するものである。
【００２０】
また、表示部と、記憶部と、制御部とを備えた携帯端末に、前記記憶部に記憶された画像データおよび文字列データを任意の順序で登録するステップと、前記画像データに基づく画像および前記文字列データに基づく文字を、前記登録された順序で所定の時間毎に前記表示部に表示させるステップとを実行させることを特徴とするものである。
【発明の効果】
【００２１】
本発明によれば、第１に、画像データおよび文字列データを登録し、その登録された画像データに基づく画像および文字列データに基づく文字を所定の時間毎に表示部に表示させることができる。画像に加えて文字もスライド表示可能となり、スライド表示機能の娯楽性が向上する。
【００２２】
第２に、画像データに対して文字列データを個別に対応づけて登録できるので、画像に対応した情報を表示することができる。これにより、類似する多数の画像の判別が容易となる。
【００２３】
第３に、文字列データはと画像データの対応付けは一括して行えるので、多数の画像データが登録されている場合でも容易に個別に対応づけることができ、操作性が向上する。
【００２４】
第４に、登録された画像の表示前に、当該画像に個別に対応づけられた文字を表示させることができる。例えば、画像のタイトルや撮影日時等を画像の表示前に表示させることにより、類似する多数の画像の判別が容易となる。また、画像に対するキャプション表示としての効果を奏するので、撮影時の状況を知らない第三者であってもその画像がどの様なものか理解しやすくなり、スライド表示機能の娯楽性がより向上する。
【００２５】
第５に、画像データの画素数の増加に伴い、画像処理（画像データの表示）に要する時間が増え、次の画像データ表示までの表示間隔が伸長してしまうおそれがあるが、文字の表示時間を利用して画像の展開処理を行うことで、閲覧者に与える違和感を少なくできる。
【００２６】
第６に、文字を表示部に表示したまま対応する画像を表示することができるので、画像とそれに対応する文字を同時に視認することができる。
【００２７】
第７に、画像と文字とを切り換えて表示することができるので、画像の表示領域を縮小することがなく、十分な表示領域を確保して画像および文字を表示することができる。また例えば画像とそのキャプションとなる文字とを切り換えて表示することにより、閲覧者にとってストーリー性を持たせたスライド表示機能を提供でき、スライド表示機能の娯楽性が向上する。
【００２８】
第８に、文字列データの長さに応じて表示部への表示時間を設定できるため、文字列の長さに応じた柔軟な表示が可能となる。
【００２９】
第９に、画像データおよび文字列データに対してそれぞれ個別に表示部への表示時間を設定できるので、例えばストーリー性を持たせて画像および文字を登録した場合等において、よりダイナミックなスライド表示を提供できる。
【００３０】
第１０に、画像データおよび文字列データに対してそれぞれ一括して表示部への表示時間を設定できるので、ユーザの操作性、利便性が向上する。
【００３１】
第１１に、本発明のプログラムを実行することにより、画像の表示前に当該画像に個別に対応する文字のスライド表示が可能となり、スライド編集手段およびスライド処理手段を有していない携帯端末であっても、画像とそれに付随する情報の表示が可能なスライド表示機能を実現できる。
【００３２】
第１２に、本発明のプログラムを実行することにより、スライド編集手段およびスライド処理手段を有していない携帯端末であっても、画像と文字を任意の順序でスライド表示可能となり、娯楽性の高いスライド表示機能を実現できる。
【発明を実施するための最良の形態】
【００３３】
以下に、本発明における実施の形態について、図１〜図９を参照にして詳細に説明する。本発明は、スライド式に画像表示が可能な任意の携帯端末に適用できるが、以下では、好適な実施の形態として、カメラ機能付きの携帯電話機１について説明する。
【００３４】
先ず、図１から図７には、本発明の第１の実施形態を示す。図１は第１の実施の形態である携帯電話機の（Ａ）開いた状態での内側（キー面）から見た概観図、（Ｂ）閉じた状態での外側（背面）から見た概観図であり、図２は同携帯電話機の電気的構成を説明する概略機能ブロック図である。尚、携帯電話機１においても、カメラ機能の有無に関し限定する必要はなく、例えば無線通信回線を利用して受信した画像データに基づく画像がスライド式に表示可能なものであればよい。
【００３５】
図１（Ａ）及び（Ｂ）に示す如く、例えば、スピーカー２は携帯電話機１の蓋部内側の上方中央に、マイク３は本体部内側の下方中央にそれぞれ配置されている。また、キー操作部１８は、撮影を行うためのシャッターキー、カメラ機能を起動させるカメラキー、電源投入するための電源キー、メール機能を起動させるメールキー、十字キー、数字入力及び文字入力を行うテンキー等から構成されている。
【００３６】
そして、表示部１３は、スピーカー２が配置されている蓋部内側に四角形状で配置されており、副表示部１４は四角い形状で蓋部外側の中央付近に配置されている。更に、カメラ部２７は、蓋部外側のヒンジ近くの中央付近に配置され、閉じた状態でも副表示部１４で被写体を確認しながら撮影ができる。また、背面キー６は副表示部１４の下方に配され、閉じた状態でシャッターキーとして使用され、使用者が自らを撮影するのに適している。一方、開いた状態で撮影する場合は、表示部１３あるいは副表示部１４で被写体を確認しながら、キー操作部１８のシャッターキーを押下することで撮影することができる。
【００３７】
尚、本実施形態においては副表示部１４はなくてもよく、以下の説明ではこれを省略する。
【００３８】
図２に示す如く、本実施の形態の携帯電話機１は、主に、制御部２１、メモリ２２、表示ドライバ２４、表示部１３、キー操作部１８、無線通信部２６、タイマー３０、音声処理部３１、カメラ部２７、画像展開部３２、スライド処理手段３４、スライド編集手段３３、スピーカ２等を備えている。
【００３９】
制御部２１は、携帯電話機１を構成する各部位の動作を制御し、例えば、メモリ２２、表示ドライバ部１３、無線通信部２６、音声処理部３１、タイマー３０、画像展開部３２等を制御する。例えば、表示部１３にデータに基づく画像および／または文字を表示する際には、制御部２１は、表示ドライバ２４に制御信号を送信するとともに、メモリ２２に記憶されているテキストデータ、画像データを、表示ドライバ２４に送る。
【００４０】
メモリ２２は、読み出し及び書き込み可能なＲＡＭ（Ｒａｎｄａｍ  Ａｃｃｅｓｓ  Ｍｅｍｏｒｙ）である。本実施形態のメモリ２２は、プレイリストデータベース２２１、画像データベース２２２、音楽データベース２２３、画像展開用バッファ２２５、キャプション用バッファ２２４、表示用バッファ２２６（ＶＲＡＭ）２２６等を含む。
【００４１】
プレイリストデータベース２２１は、プレイリストが格納されるデータベースである。プレイリストとは、スライド編集手段３３により登録された画像データに対して文字列データ、表示時間等を対応させた表であり、プレイリストの格納順に従いスライド形式で画像が表示される。尚、プレイリストの詳細については後述する。
【００４２】
画像データベース２２２は、画像データが格納される。画像データは例えばカメラ部２７にて撮影されたデータであれば撮影日時、タイトル等の撮影情報や、ユーザ入力により画像データに対して付与される任意のコメント、画像サイズ等が属性情報として付与され、画像データベース２２２に格納される。尚、画像データのタイトルは例えば撮影時にシステムにより英数字等で付与され、ユーザにより適宜修正が可能である。
【００４３】
また画像データベース２２２には、出荷時に予め設定されている画像データも保存されている。本明細書においては画像データは静止画の他Ｆｌａｓｈ形式（Macromedia Flash：米Macromedia社製）等の動画を含むとする。また、無線通信回線を通じて受信した画像データも含む。これらの画像データも保存日時、タイトル、ユーザ入力による任意のコメント等の属性情報と共に画像データベース２２２に格納される。
【００４４】
音楽データベース２２３は、無線通信回線を通じて受信した音楽データ、音声データ等が所定のファイル形式にて格納される。また出荷時に、予め設定されている音楽データも保存されている。音楽データベース２２３のデータは、スライド編集手段３３により画像データまたは文字列データに対応付けすることもできる。
【００４５】
キャプション用バッファ２２４は、プレイリスト中の文字列データを制御部２１からの指示があるまで一時的に格納する。
【００４６】
画像展開用バッファ２２５は、プレイリストに登録されている画像データのタイトルをもとに、画像データベース２２２から当該画像データを呼び出し、解凍および必要な場合には縮小処理等の展開処理を行うためのバッファである。
【００４７】
表示用バッファ２２６はＶＲＡＭ（Ｖｉｄｅｏ  ＲＡＭ）であり、表示部１３に表示する（または表示中の）画像データ、文字列データが格納される。
【００４８】
音声処理部では、音楽データの再生や、通話音量、着信音の制御等を行い、スピーカ２から音声を出力する。
【００４９】
カメラ部２７では、ＲＧＢに対応した電気信号を増幅し、増幅されたＲＧＢに対応した電気信号（アナログ）をデジタル信号に変換して画像データを出力し、その画像データに対して、画素の補間処理などの信号処理を行う。そして、制御部２１から送られてくる制御信号に基づいて信号処理を施し、画像データを所定の形式で圧縮した後、画像データベース２２２に送る。
【００５０】
画像展開部３２は、画像データに基づく画像を表示部１３に表示する際に、画像データベース２２２に保存されている圧縮された画像データを画像展開用バッファ２２５にて展開し、必要で有れば表示部１３の表示サイズに縮小する。また、展開された画像データを表示用バッファ２２６に送る。
【００５１】
タイマー３０は、各種時間の管理を行う。例えば、スライド編集手段３３により設定された画像データおよび文字列データに対して個別に時間が設定されている場合はその時間を管理し、文字列データに対して文字数に応じた表示時間が設定されている場合は、文字列に応じた時間の管理を行う。
【００５２】
表示ドライバ２４は、表示部１３に表示しようとするテキストデータ、画像データに従って、表示部１３の各画素電極に対して駆動電圧を印加する。表示部１３は、液晶ディスプレイやＥＬ(ｅｌｅｃｔｒｏ  ｌｕｍｉｎｅｓｃｅｎｔ)ディスプレイなどによって構成されており、表示ドライバを介して与えられるデータに基づいて画像および／または文字を表示する。また、表示部１３は、液晶ディスプレイによって構成されている場合には、発光素子である発光ダイオードなどから構成されるバックライトにより背面から照明される。
【００５３】
キー操作部１８は、上述したように、数字および文字を入力するためのテンキーなどから構成される。
【００５４】
無線通信部２６は携帯電話機１の無線通信を可能とし、不図示のアンテナ、無線部、通信制御部等から構成される。
【００５５】
また制御部２１は、スライド編集手段３３を有する。
【００５６】
スライド編集手段３３は、表示部１３に所定の入力画面を表示して、ユーザにスライド表示する画像データを登録させる。更に、スライド編集手段３３において、画像データに対して画像のキャプションを自動設定することができる。キャプションの自動設定がオンの場合、スライド編集手段３３は、当該画像データとキャプションとなる文字列データを対応付け、表示時間等と共にプレイリストを作成する。そして、スライド編集手段３３は、プレイリストをプレイリストデータベース２２１に格納する。
【００５７】
なお、ここでいう文字列データとは、表示部１３に対して文字列のみを表示するテキストデータをいい、本明細書では、例えば、画像データのタイトル、撮影日時等の画像データの属性情報の一部をいう。また保存した画像データに対してユーザが任意に入力できるコメント等のテキストデータでもよい。画像データの属性情報または、画像データにコメントとして付与した撮影状況や説明文等の文字列データを、対応する画像データの直前に表示するように制御することにより、画像データのキャプションとして利用するものである。
【００５８】
スライド編集手段３３では、文字列データの表示時間の自動設定及び手動設定を可能とする。自動設定の場合は、文字列データの文字数に応じて予め登録された表示時間がプレイリストに登録される。一方手動設定の場合は、ユーザが任意の表示時間を個別に設定することが可能となり、この場合もプレイリストに登録される。
【００５９】
また、ユーザが手動で、例えば文字列データはすべて２秒間、画像データはすべて３秒間、等表示時間をそれぞれ一括して設定することも可能である。
【００６０】
更に、本実施の形態における制御部２１は、スライド処理手段３４を有する。スライド処理手段３４は、スライド編集手段３３により登録されたプレイリストに従って、画像データに基づく画像をスライド式に所定の時間毎に順次自動で表示する。更に、画像データに対応する文字列データに基づく文字を画像の直前に表示する。
【００６１】
例えば、スライド編集手段３３により個々の画像データに対してタイトル、撮影日時等が文字列データとして対応づけられている場合、スライド処理手段３４は画像データの登録順に従い、画像データを表示する直前に当該画像データに対応する文字を表示部１３に表示する。そして文字を表示部１３から削除した後、画像データに基づく画像を表示する。このように、本実施形態では文字列データと画像データはスライド編集手段３３により切り換えられて、別々に表示される。これにより、風景画等の類似した画像が連続して表示されても、タイトル等の表示によりどのような画像であるのかが閲覧者にわかりやすくなる。また、キャプションとして表示する文字の文字数が長くなっても、画像の表示領域を縮小することなく、それぞれに十分な表示領域を確保することができる。
【００６２】
既述のごとく保存されている画像データには、タイトル入力等と同様にユーザが任意の文字列（コメント）を付与することができ、この文字列もスライド編集手段３３により文字列データとしてプレイリストに登録される。従って例えば、画像データのコメントに「そのとき」や「ある日のこと」などの文字列を登録しておくことにより、スライド処理手段３４は、画像データの直前にこれらの文字列データに基づく文字を表示する。
【００６３】
すなわち、画像の直前に画像に合わせたキャプションが表示されるので、閲覧者に対してストーリー性を持たせた、より娯楽性の高いスライド表示機能を提供することができる。
【００６４】
更にスライド処理手段３４では、スライド編集手段３３にて文字列データの表示時間が自動設定されている場合には、文字列データの文字数に応じた時間で表示部１３へ表示する。文字列データの長さに応じて柔軟なキャプション表示が可能となり、文字列データが長い場合は表示内容が十分認識でき、一方短い場合はその表示時間が短くなるため、スライド表示が必要以上に冗長にならず、ダイナミックなスライド表示が可能となる。
【００６５】
次に、スライド編集手段３３について説明する。図３は、スライド編集手段３３の入力画面を示す画面遷移図の一例である。
【００６６】
アプリケーションメニューよりスライド表示機能を選択し、スライド編集を選択する（図３（Ａ））。新規のスライドを作成する場合は、スライドのタイトル入力画面を表示し（図３（Ｂ））、スライド編集画面を表示する。ここでは、画像選択、ＢＧＭ選択（スライド表示と共に再生する音楽データの登録）等を行う（図３（Ｃ））。
【００６７】
図３（Ｃ）において、画像選択を選択すると、画像データベース２２２に保存されている画像一覧等の画面が表示されるので、所望の画像データを選択する。これにより画像データはスライド表示用のデータとして登録され、表示部１３には画像データのタイトルが表示される（図３（Ｄ））。スライド表示する画像データの選択を繰り返し、複数の画像データからなるプレイリストを作成する。
【００６８】
また、図３（Ｃ）においては、自動キャプションのオンオフが選択できる。自動キャプションをオンすると、すべての画像データに対して、タイトルまたは撮影日時、あるいはコメントを一括して対応づける。すなわち、画像データが保持する属性情報から撮影日時やコメントを取得し、画像データのタイトルとともにプレイリストに格納する。
【００６９】
また、図３（Ｃ）において、再生間隔が設定できる。再生間隔は、自動と手動で設定が可能である。自動であれば、文字列データの文字数により自動的に表示時間が設定される。手動で有れば画像データ毎に、あるいは一括して表示時間を設定できる。これによりプレイリストの画像データに対応して表示時間が格納される。
【００７０】
また、図３（Ｃ）においてＢＧＭ選択を行うことで、スライド表示中に音楽データを再生することもできる。例えばフォルダにスライド表示用の画像データが格納されている場合にはフォルダ毎にＢＧＭの設定ができ、画像データ毎にもＢＧＭが登録できる。また画像データと文字列データとで異なるＢＧＭの設定を可能としてもよい。
【００７１】
さらに、図３（Ｄ）において、サブメニューで各画像データに対して自動キャプションのオンオフを選択可能としてもよい。これによりスライド表示する画像データに一括してでなく、画像データ毎に自動キャプションを設定できる。また、例えばキャプション編集などとして、各画像データ毎にキャプションの修正も可能とする。これにより、より画像に合致した効果的なキャプションの表示が可能となる。
【００７２】
図４はスライド編集手段３３により作成されたプレイリストの一例を示す。図４は図３（Ｃ）でコメントの自動キャプションをオンと設定した場合の例である。
【００７３】
図４（Ａ）（Ｂ）の如く、プレイリストは、メモリ番号フィールド１２１、画像データタイトルフィールド１２２、キャプションフィールド１２３、表示時間フィールド１２４などから構成されるレコードが保持されている。
【００７４】
図３（Ｃ）において、ある画像データをスライド表示用データとして選択すると、画像データタイトルフィールド１２２に画像データのタイトルが格納される。そしてスライド表示する画像データの選択を繰り返し、プレイリストを作成する。
【００７５】
このとき、自動キャプションをオンに設定すると、画像データをプレイリストに格納する際に対応する文字列データ（画像データのコメント）をキャプションフィールド１２３に格納する。例えば、キャプションとしてタイトルを自動で設定する場合には、キャプションフィールド１２３にタイトルが格納され、撮影日時を自動で設定する場合には、キャプションフィールド１２３に撮影日時が格納されるとする。
【００７６】
表示時間フィールド１２４には、図３（Ｃ）において設定された文字列データの表示時間を格納する。従って文字列の長さに応じた表示時間にする「自動」または任意で入力された表示時間（例えば１ｓｅｃ）が格納される。尚、画像データの表示時間については一括して予め設定されているとする。
【００７７】
スライド処理手段３４は、プレイリストの先頭から画像データに基づく画像を順次表示する。このとき、キャプションフィールド１２３と、表示時間フィールド１２４を参照し、文字列データに基づく文字を、対応する画像データの直前に設定された表示時間で表示する。
【００７８】
尚、図４（Ｃ）のごとく、複数の画像データをフォルダに格納し、フォルダ単位でスライド表示させることもできる。そしてこのときフォルダ毎に表示時間を設定することもできる。この場合のプレイリストは例えばフォルダ番号フィールド１２５、タイトルフィールド１２６、メモリ番号フィールド１２７、表示時間フィールド１２８などからなる。
【００７９】
スライドのタイトルはフォルダ毎にタイトルフィールド１２６に格納され、メモリ番号フィールド１２７にはフォルダ内の画像データのメモリ番号が格納される。
【００８０】
スライド処理手段３４は、タイトルフィールド１２６のタイトルを設定された表示時間で表示した後、メモリ番号フィールド１２７のメモリ番号により図４（Ａ）（Ｂ）の各画像データのプレイリストを参照し、文字列データに基づいた文字の表示、画像データに基づいた画像の表示を行う。  また、ここで、画像データと文字列データの表示時間についてフォルダ毎に一括設定を可能としてもよい。画像データと文字列データのすべてについて一括で設定可能としてもよいし、画像データと文字列データそれぞれについて一括設定可能としてもよい。
【００８１】
尚、一般的なカメラ付き携帯電話機では、画像データに対する属性情報としてタイトルフィールド１２２を有している。タイトルフィールド１２２には撮影直後は撮影日時のデータが格納され、ユーザにより任意に書き換えが可能となっている。また、画像データベース２２２はフォルダ構造を有し、フォルダ単位でそのフォルダ内に格納されている画像データのスライド表示が可能となっている。このような一般的なカメラ付き携帯電話機に本実施形態を単純に適用した場合、上記のプレイリストやキャプションフィールド１２３は不要となる。すなわち、自動キャプションがオンの場合には、タイトルフィールド１２２内のデータに基づく文字をキャプションとして画像データの直前に表示し、またフォルダを指定することによりフォルダ単位でスライド表示させる場合には、フォルダ内の格納順に画像データに基づく画像が表示される。
【００８２】
図５、図６を参照して本発明のスライド処理手段３４によるスライド表示制御のフローを説明する。尚、ここでは、図４（Ｃ）の「じゃんけん大会」というタイトルのスライドを表示場合を例に説明し、図６には画面遷移図を示す。
【００８３】
アプリケーションメニューより、スライド表示機能の再生を選択すると、スライド処理手段３４は、プレイリストより最初の画像データを参照し、画像データベース２２２より画像データを取得して画像展開バッファにて展開し、必要で有れば表示部１３で表示可能なサイズに縮小する（ステップＳ１）。その間にスライド処理手段３４はプレイリスト中のスライドのタイトルの有無を判断し（ステップＳ２）、タイトルが有る場合にはスライド処理手段３４はタイトル「じゃんけん大会」を表示する（ステップＳ３）（図６（Ａ））。タイトルがない場合はプレイリスト中のキャプションフィールド１２３を参照して、文字列データの有無を判断する（ステップＳ１０）。
【００８４】
タイトル表示後は（ステップＳ３）、スライド処理手段３４はタイトルの表示時間の自動設定の有無を判断する（ステップＳ４）。自動設定が有る場合は、タイトルの文字数を判断する（ステップＳ５）。例えば１０文字以上の場合、スライド処理手段３４はＴ＝２秒を設定する（ステップＳ６）。１０文字未満の場合、Ｔ＝１秒を設定する（ステップＳ７）。尚、判断の基準となる文字数（１０文字）およびそれに応じた時間Ｔの値も、変更可能とする。自動設定でない場合（ステップＳ４）、Ｔには入力された時間を設定する（ステップＳ８）。
【００８５】
そして、タイマー３０により時間Ｔの経過を看視する（ステップＳ９）。すなわちこの間、表示部１３にはタイトルが表示され続ける。時間Ｔ経過後、スライド処理手段３４は画像データに対応する文字列データの有無を判断する（ステップＳ１０）。自動キャプションオフの場合は、文字列データは設定されていないので、スライド処理手段３４は展開済み画像を表示する（ステップＳ１８）。この場合、ステップＳ１で最初の画像データが展開されているので、その画像データに基づく画像が表示部１３に表示（動画の場合は再生）される。
【００８６】
キャプションフィールド１２３に文字列データ有りの場合（ステップＳ１０）、スライド処理手段３４はその文字列データを取得しそれに基づく文字「グー」を表示部１３に表示する（ステップＳ１１）（図６（Ｂ））。次にスライド処理手段３４は、文字列データの表示時間の自動設定の有無を判断する（ステップＳ１２）。自動設定が有る場合は、文字列データの文字数を判断する（ステップＳ１３）。例えば１０文字以上の場合、スライド処理手段３４はＴ＝２秒を設定する（ステップＳ１４）。１０文字未満の場合、Ｔ＝１秒を設定する（ステップＳ１５）。尚、判断の基準となる文字数（１０文字）およびそれに応じた時間Ｔの値も、変更可能とする。自動設定でない場合（ステップＳ１２）、Ｔには入力された時間を設定する（ステップＳ１６）。
【００８７】
そして、タイマー３０により時間Ｔの経過を看視する（ステップＳ１７）。すなわちこの間、表示部１３には文字列データに基づく文字が表示され続ける。時間Ｔ経過後、スライド処理手段３４は展開済み画像を表示する（ステップＳ１８）。この場合、ステップＳ１で最初の画像データが展開されているので、その画像データに基づく画像が表示部１３に表示される（図６（Ｃ））。
【００８８】
スライド処理手段３４は、タイマー３０により予め設定された所定の画像データ表示時間の経過を看視する（ステップＳ１９）。すなわちこの間表示部１３には図６（Ｃ）の画像データに基づく画像が表示され続ける。画像データはデータ毎に異なる表示時間を設定する必要性は少なく、スライド編集手段３３の一部を用いて画像データの表示時間の一括設定が可能となっている。
【００８９】
その後スライド処理手段３４は、スライド表示する次の画像データの有無を判断する（ステップＳ２０）。画像データが有る場合はその画像データを展開する（ステップＳ２１）。展開開始後、文字列データの有無を判断し（ステップＳ１０）、文字列データがある場合は、文字列データに基づく文字「チョキ」を表示し（ステップＳ１１、図６（Ｄ））、表示時間自動設定の有無（ステップＳ１２）、時間の看視（ステップＳ１７）を行い、展開済みの画像データに基づく画像を表示する（ステップＳ１８，図６（Ｅ））。以降は画像データがなくなるまで繰り返し処理を行う（図６（Ｆ）、図６（Ｇ））。
【００９０】
このような処理を行うことで、画像データの直前にその画像データのキャプションとなる文字列データに基づく文字を表示することができる。これにより、類似する画像が順次表示されても、閲覧者にその内容が理解しやすくなり、また図６のごとくストーリー性を持たせた表示が可能となることからスライド表示機能の効果を高めることができる。
【００９１】
ここで、文字列データは、単独のテキストデータであり、表示色や表示効果等の編集の自由度が高いため、テキストの修飾により視覚性を高めたスライド表示が可能となる。また、図の如く例えば黒背景に白文字等の高コントラストで表示すれば視認性が高く、スライド間隔が短くても表示内容を認識しやすくなる。
【００９２】
更にＢＧＭの選択もスライドデータ毎に可能とし、映像に近い感覚でスライドショウを楽しむことができる。
【００９３】
また、図７のごとく、文字列データに基づく文字を表示部１３下方に表示したのち、その文字の表示を維持したまま対応する画像を文字の上方に表示するようにしてもよい。この場合、画像の表示領域は小さくなるが画像とキャプションが同時に視認可能となる。
【００９４】
次に、図８および図９に第２の実施形態を説明する。第２の実施形態の文字列データは、画像データの属性情報の一部ではなく、ユーザが任意に文字列とその表示順を設定できるものである。
【００９５】
第２の実施形態の電気的構成図は第１の実施形態の図２と同様であるので説明は省略するが、第２の実施形態のスライド編集手段３３は、表示部１３に所定の入力画面を表示して、ユーザに画像データと、文字列データおよびその表示時間を登録させ、それらを用いてプレイリストを作成する。そして、スライド編集手段３３は、プレイリストをプレイリストデータベース２２１に格納する。すなわちここでの文字列データは、スライド編集手段３３の入力画面より入力された任意の文字列をいう。尚、表示時間の設定については、第１の実施形態と同様であるので説明は省略する。
【００９６】
スライド編集手段３３も第１の実施形態と同様であり、プレイリストに従って、登録された画像データに基づく画像及び／または文字列データに基づく文字を順次切り換えて表示する。
【００９７】
次に、図８を参照してスライド編集手段３３について説明する。図８は、スライド編集手段３３の入力画面を示す画面遷移図の一例である。
【００９８】
アプリケーションメニューよりスライド表示機能を選択し、スライド編集を選択する（図８（Ａ））。スライドのタイトルが入力されると（図８（Ｂ））、スライド編集画面を表示する。ここでは、画像選択、ＢＧＭ選択（スライド表示と共に再生する音楽データの登録）等を行う（図８（Ｃ））。
【００９９】
図８（Ｃ）において、スライドを選択すると、スライド表示するデータについての画面が表示される（図８（Ｄ））。スライドは画像またはキャプションの選択ができ、画像を選択すると、画像データベース２２２に保存されている画像一覧等の画面が表示され、画像データが選択できる（不図示）。そしてキャプションを選択すると、キャプション編集画面が表示される（図８（Ｅ））。ここでユーザは任意の文字列を入力することができる。本実施形態では、画像データも、文字列データも共にスライド表示用のデータとなり、図８（Ｆ）のごとく、スライド表示用データの一覧画面には、図８（Ｄ）での設定に応じて、画像データや、文字列データが一覧表示される。またこのとき、プレイリストも作成される。
【０１００】
図９はスライド編集手段３３により作成されたプレイリストの一例を示す。
【０１０１】
図９の如く、プレイリストのレコードはメモリ番号フィールド１２９、スライドデータフィールド１３０、表示時間フィールド１３１などから構成される。
【０１０２】
図８において、画像選択を選択すると、スライドデータフィールド１３０には画像データのタイトルが格納される。また、キャプションを選択して入力した文字列データも、スライドデータフィールド１３０に格納される。
【０１０３】
スライド処理手段３４は、プレイリストの先頭から画像データに基づく画像及び／または文字列データに基づく文字を順次表示する。このとき、表示時間フィールドを参照し、文字列データについては設定された表示時間で表示する。
【０１０４】
例えば、画像データに合わせた文字列データとして「グー」「チョキ」「パー」などの文字列を登録し、その直後に画像データを登録する。これにより、図６に示した画面遷移図のごとく、画像データに対するキャプション表示を可能とし、閲覧者に対してストーリー性を持たせた娯楽性の高いスライド表示機能を提供することができる。
【０１０５】
尚、上述の実施の形態では、制御部２１が、スライド編集手段３３およびスライド処理手段３４とを予め有している場合について説明したが、これに限定されるものではなく、例えば、無線通信部２６を通じてプログラムをダウンロードし、制御部２１が、そのダウンロードしたプログラムに従ってスライド編集手段３３およびスライド処理手段３４に対応する処理を実行するようにしてもよい。
【０１０６】
以上、本実施の形態では携帯電話機１について説明を行なったが、本発明による携帯端末はこれに限定されなるものではなく、たとえば、画像が表示でき、スライド表示機能を有する、またはプログラムをダウンロードすることによりスライド表示機能が実現できるＰＤＡ（ｐｅｒｓｏｎａｌ  ｄｉｇｉｔａｌ  ａｓｓｉｓｔａｎｔｓ）等であってもよい。
【図面の簡単な説明】
【０１０７】
【図１】本発明の一実施の形態である携帯電話機の（Ａ）開いた状態での内側（キー面）から見た概観図、（Ｂ）閉じた状態での外側（背面）から見た概観図である。
【図２】同携帯電話機の電気的構成を説明するための概略機能ブロック図である。
【図３】同携帯電話機のスライド編集手段を説明する図である。
【図４】同携帯電話機のプレイリストの内部構成を説明する図である。
【図５】同携帯電話機のスライド処理フローを示す図である。
【図６】同携帯電話機のスライド処理を実行した場合の画面遷移図である。
【図７】同携帯電話機のスライド処理を実行した場合の画面遷移図である。
【図８】同携帯電話機のスライド編集手段を説明する図である。
【図９】同携帯電話機のプレイリストの内部構成を説明する図である。
【符号の説明】
【０１０８】
１          携帯電話機
２          スピーカー
３          マイク
６          背面キー
１３          表示部
１４          副表示部
１８          キー操作部
２１          制御部
２２          メモリ
２４          表示ドライバ
２７          カメラ部
３１          音声処理部
３２          画像展開部
３３          スライド編集手段
３４          スライド処理手段
２２１        プレイリストデータベース
２２２        画像データベース
２２３        音楽データベース
２２４        キャプション用バッファ
２２５        画像展開用バッファ
２２６        表示用バッファ
【図１】
2005244407.tif 000003
【図２】
2005244407.tif 000004
【図３】
2005244407.tif 000005
【図４】
2005244407.tif 000006
【図５】
2005244407.tif 000007
【図６】
2005244407.tif 000008
【図７】
2005244407.tif 000009
【図８】
2005244407.tif 000010
【図９】
2005244407.tif 000011